(57)【要約】【課題】使用中に係止用構造物から容易に脱落しないような構造の高所係止用フックを提供する。【解決手段】フック本体１に、係止用構造物に対する係合空間７を開閉する閉鎖部材２が回動可能に取り付けられる。閉鎖部材は常時閉位置に向かって弾性付勢される。閉鎖部材とフック本体が連結部材３によって連結され、連結部材が、ガイドスロット１０、１２および連結ピン１１、１３によって規制されつつ移動することにより、閉鎖部材が閉位置から開位置に向けて回動する。ガイドスロットには、連結ピンを係止して閉鎖部材の閉位置からの回動を制止する段差１０ａ、１２ａが設けられる。【選択図】図１
0003137051.tif 000002
【実用新案登録請求の範囲】
【請求項１】
基部と、前記基部に接続するＵ字状の湾曲部分とからなり、前記基部にロープと連結するための連結穴を有し、前記湾曲部分の内側に係止用構造物に対する係合空間が形成されたフック本体と、
前記フック本体の前記基部に第１連結ピンによって取り付けられ、前記第１連結ピンのまわりに回動可能とされ、前記湾曲部分の前記基部側に沿ってのびて前記係合空間を開放する開位置と、前記湾曲部分の先端に接続して前記係合空間を閉鎖する閉位置をとる閉鎖部材と、
前記閉鎖部材および前記フック本体の間に配置され、前記閉鎖部材を常時前記閉位置に向かって弾性付勢するバネと、
前記閉鎖部材および前記フック本体の前記基部を連結する連結部材と、を備え、
前記連結部材の一端が、第２連結ピンによって前記閉鎖部材に回動可能に連結され、前記連結部材の他端側には第１ガイドスロットが設けられ、前記連結部材は、前記第１ガイドスロットに挿入される第３連結ピンによって、前記フック本体の基部に連結され、前記連結部材が、前記第１ガイドスロットの一端縁において前記第３連結ピンに当接する第１の位置から、前記第１ガイドスロットの他端縁において前記第３連結ピンに当接する第２の位置まで移動するとき、前記閉鎖部材は前記バネの付勢力に抗して前記閉位置から前記開位置まで回動するようになっており、前記第１ガイドスロットの前記一端縁側の側縁には、前記第３連結ピンを係止して前記閉鎖部材の前記閉位置からの回動を制止する段差が設けられ、さらに、前記連結部材の他端には、前記連結部材を操作するための吊環が接続されていることを特徴とする高所係止用フック。
【請求項２】
前記閉鎖部材の中間部に第２ガイドスロットが形成され、前記第２ガイドスロットに挿入される前記第２連結ピンによって、前記連結部材の前記一端が前記閉鎖部材に連結されており、前記連結部材が前記第１の位置から前記第２の位置まで移動する間は、前記第２連結ピンが前記第２ガイドスロットの一端縁に当接し、それによって、前記閉鎖部材は前記バネの付勢力に抗して前記閉位置から前記係合空間を半分開放する中間位置まで回動し、さらに、前記連結部材が前記第２の位置において前記第３連結ピンのまわりに回動する間は、前記第２連結ピンが前記第２ガイドスロットの前記一端縁から他端縁まで移動し、それによって、前記閉鎖部材が前記バネの付勢力に抗して前記中間位置から前記開位置まで回動するようになっており、前記第２ガイドスロットの前記一端側の側縁には、前記連結部材が前記移動する間に前記第２連結ピンを係止する段差が設けられていることを特徴とする請求項１に記載の高所係止用フック。
【請求項３】
前記連結部材の一端と前記閉鎖部材の先端の間に、前記第２連結ピンを前記第２ガイドスロットの前記一端縁側に向かって弾性付勢する第２のバネが取り付けられていることを特徴とする請求項２に記載の高所係止用フック。
【考案の詳細な説明】
【技術分野】
【０００１】
本考案は、高所作業現場において、親ロープまたは墜落防止器具等を、高所に設置された固定物等に吊り下げ状態で支持するために使用する高所係止用フックに関するものである。
【背景技術】
【０００２】
この種の高所係止用フックとして、例えば、高所に配設されたワイヤ等に係止可能な係止空間を有し、下端部にロープ等を連結可能な環部を備えたフック本体と、フック本体に枢設された、係止空間を開閉可能な開閉板と、開閉板に連繋して本体背面側に突設された吊環部とを備えたものがある（特公平５−８０２７号参照）。このフックは、吊環部に下方より竿部材等を係止してフック本体を吊り上げた時に、吊環部の回動に伴って開閉板が回動し、係止空間が開放され、竿部材等が吊環部から離脱した時には開放板が復帰して係止空間が閉止されるようになっている。
【０００３】
このフックによれば、吊環部を回動させるだけで、フック本体の係止空間の開放および閉止が容易になされる一方、高所作業現場での作業中にフック本体の係止空間が不意に開放されて、フックが係止用構造物から脱落してしまうおそれがある。
【考案の開示】
【考案が解決しようとする課題】
【０００４】
本考案の課題は、使用中に係止用構造物から容易に脱落しないような構造の高所係止用フックを提供することにある。
【課題を解決するための手段】
【０００５】
上記課題を解決するため、本考案は、基部と、前記基部に接続するＵ字状の湾曲部分とからなり、前記基部にロープと連結するための連結穴を有し、前記湾曲部分の内側に係止用構造物に対する係合空間が形成されたフック本体と、前記フック本体の前記基部に第１連結ピンによって取り付けられ、前記第１連結ピンのまわりに回動可能とされ、前記湾曲部分の前記基部側に沿ってのびて前記係合空間を開放する開位置と、前記湾曲部分の先端に接続して前記係合空間を閉鎖する閉位置をとる閉鎖部材と、前記閉鎖部材および前記フック本体の間に配置され、前記閉鎖部材を常時前記閉位置に向かって弾性付勢するバネと、前記閉鎖部材および前記フック本体の前記基部を連結する連結部材と、を備え、前記連結部材の一端が、第２連結ピンによって前記閉鎖部材に回動可能に連結され、前記連結部材の他端側には第１ガイドスロットが設けられ、前記連結部材は、前記第１ガイドスロットに挿入される第３連結ピンによって、前記フック本体の基部に連結され、前記連結部材が、前記第１ガイドスロットの一端縁において前記第３連結ピンに当接する第１の位置から、前記第１ガイドスロットの他端縁において前記第３連結ピンに当接する第２の位置まで移動するとき、前記閉鎖部材は前記バネの付勢力に抗して前記閉位置から前記開位置まで回動するようになっており、前記第１ガイドスロットの前記一端縁側の側縁には、前記第３連結ピンを係止して前記閉鎖部材の前記閉位置からの回動を制止する段差が設けられ、さらに、前記連結部材の他端には、前記連結部材を操作するための吊環が接続されていることを特徴とする高所係止用フックを構成したものである。
【０００６】
本考案の好ましい実施例によれば、前記閉鎖部材の中間部に第２ガイドスロットが形成され、前記第２ガイドスロットに挿入される前記第２連結ピンによって、前記連結部材の前記一端が前記閉鎖部材に連結されており、前記連結部材が前記第１の位置から前記第２の位置まで移動する間は、前記第２連結ピンが前記第２ガイドスロットの一端縁に当接し、それによって、前記閉鎖部材は前記バネの付勢力に抗して前記閉位置から前記係合空間を半分開放する中間位置まで回動し、さらに、前記連結部材が前記第２の位置において前記第３連結ピンのまわりに回動する間は、前記第２連結ピンが前記第２ガイドスロットの前記一端縁から他端縁まで移動し、それによって、前記閉鎖部材が前記バネの付勢力に抗して前記中間位置から前記開位置まで回動するようになっており、前記第２ガイドスロットの前記一端側の側縁には、前記連結部材が前記移動する間に前記第２連結ピンを係止する段差が設けられている。
【０００７】
さらに好ましい実施例によれば、前記連結部材の一端と前記閉鎖部材の先端の間に、前記第２連結ピンを前記第２ガイドスロットの前記一端縁側に向かって弾性付勢する第２のバネが取り付けられている。
【考案の効果】
【０００８】
本考案によれば、フック本体に、係止用構造物に対する係合空間を開閉する閉鎖部材を回動可能に取り付け、閉鎖部材を常時閉位置に向かって弾性付勢し、閉鎖部材とフック本体を連結部材によって連結し、ガイドスロットおよび連結ピンによって規制しつつ連結部材をフック本体に対して移動させることにより、閉鎖部材が閉位置から開位置に向けて回動するようにし、ガイドスロットに、連結ピンを係止して閉鎖部材の閉位置からの回動を制止する段差を設けたので、フックの使用中にフックの係合空間が不意に開放されて、フックが係止用構造物から脱落することが防止される。
【０００９】
また、本考案によれば、さらに、閉鎖部材と連結部材とをガイドスロットおよび連結ピンによって連結し、閉鎖部材の閉位置から開位置への回動を２段階の動作によって行うようにしたので、フックの使用中にフックの係合空間が不意に開放されて、フックが係止用構造物から脱落することが防止される。
【考案を実施するための最良の形態】
【００１０】
以下、添付図面を参照して、本考案の好ましい実施例について説明する。図１は、本考案の１実施例による高所係止用フックの分解斜視図である。また、図２および図３は、図１に示した高所係止用フックの動作を説明する図である。
図１に示すように、本考案によれば、基部４と、基部４に接続するＵ字状の湾曲部分５とからなるフック本体１が備えられる。フック本体１は、この実施例では、金属板から形成され、全体として板状をなしている。
フック本体１の基部４には、ロープと連結するための連結穴６が形成され、また、湾曲部分５の内側には、係止用構造物に対する係合空間７が形成されている。
【００１１】
フック本体１の基部４には、閉鎖部材２が回動可能に取り付けられる。閉鎖部材２は、一対の同一形状の金属板２ａ、２ａと、これらを接続する金属板２ｂとからなる実質上コ字状の断面を有している。そして、一対の金属板２ａ、２ａの間隙中にフック本体１の基部４の連結部分が挿入された状態で、一対の金属板２ａ、２ａが第１連結ピン８によって基部４に取り付けられ、閉鎖部材２は、第１連結ピン８の軸のまわりに回動し、湾曲部分５の先端５ｂに接続して係合空間７を閉鎖する閉位置（図２Ａ参照）と、湾曲部分５の基部側５ａに沿ってのびて係合空間７を開放する開位置（図３Ｄ参照）とをとり得るようになっている。この場合、閉鎖部材２は、閉位置にあるとき、金属板２ｂの外面において、フック本体１の湾曲部分５の先端５ｂに当接することによって、係合空間７を閉じる。
【００１２】
閉鎖部材２およびフック本体１の基部４の間であって、第１連結ピン８のまわりにバネ９が取り付けられる。バネ９は、第１連結ピン８に通されるループ部分９ａと、ループ部分９ａからのびる第１および第２部分９ｂ、９ｃとからなり、第１部分９ｂが基部４に圧接する一方、第２部分９ｃが閉鎖部材２に圧接するように配置され、それによって、閉鎖部材２を常時閉位置（図２Ａ参照）に向かって弾性付勢するようになっている。
【００１３】
さらに、閉鎖部材２およびフック本体１の基部４は、連結部材３によって連結されている。連結部材３は一対の同一形状の金属板３ａ、３ａからなり、これらの金属板３ａ、３ａの一端側には、それぞれ、第１ガイドスロット１０が設けられている。そして、一対の金属板３ａ、３ａは、それらの間にフック本体１の基部４が挿入された状態で、第１ガイドスロット１０に挿入される第３連結ピン１１によってフック本体１の基部４に連結され、連結部材３が、第１ガイドスロット１０の一端縁において第３連結ピン１１に当接する第１の位置（図２Ａ参照）から、第１ガイドスロット１０の他端縁において第３連結ピン１１に当接する第２の位置（図２Ｄ参照）まで移動し得るようになっている。また、第１ガイドスロット１０の一端縁側の側縁には、第３連結ピン１１を係止して閉鎖部材２の閉位置からの回動を制止する段差１０ａが設けられている（図２Ａ参照）。
【００１４】
閉鎖部材２の中間部には、第２ガイドスロット１２が形成されている。そして、閉鎖部材２の一対の金属板２ａ、２ａの間隙中に連結部材３の一対の金属板３ａ、３ａの他端側が挿入された状態で、第２ガイドスロット１２に挿入される第２連結ピン１３によって一対の金属板３ａ、３ａの他端が閉鎖部材２に連結され、連結部材３が第１の位置から第２の位置まで移動する間（図２Ａ〜Ｄ参照）は、第２連結ピン１３が第２ガイドスロット１２の一端縁に当接し、それによって、閉鎖部材２はバネ９の付勢力に抗して閉位置（図２Ａ参照）から係合空間７を半分開放する中間位置（図２Ｄ参照）まで回動し、さらに、連結部材３が第２の位置において第３連結ピン１１のまわりに回動する間は、第２連結ピン１３が第２ガイドスロット１２の一端縁から他端縁まで移動し（図３Ａ〜Ｄ参照）、それによって、閉鎖部材２がバネ９の付勢力に抗して中間位置（図２Ｄ参照）から開位置（図３Ｄ参照）まで回動するようになっている。また、第２ガイドスロット１２の一端側の側縁には、連結部材３が前記移動する間に第２連結ピン１３を係止する段差１２ａが設けられる（図２Ａ〜Ｄ参照）。
【００１５】
また、第２のバネ１５の一端が第２連結ピン１３に取り付けられ、他端がピン１４によって閉鎖部材２の先端部に取り付けられ、第２連結ピン１３を第２ガイドスロット１２の一端縁側に向かって弾性付勢するようになっている。
こうして、閉鎖部材２が閉位置をとるときは、第３連結ピン１１は第１ガイドスロット１０の段差１０ａに係止されるとともに、第２連結ピン１３は第２ガイドスロット１２の段差１２ａに係止され、閉鎖部材２が確実にロックされ、係合空間７が不意に開放されてしまうことが防止される。さらに、閉鎖部材２の閉位置から開位置への回動が、２段階の動作によって行われるので、係合空間の不意の開放がより確実に防止される。
また、連結部材３の一端において、一対の金属板３ａ、３ａの間隙中に、連結部材３を操作するための吊環１６が嵌め込まれ、ピン１７によって金属板３ａ、３ａに固定されている。
【００１６】
図４は、図１に示した高所係止用フックの使用状態を説明した図である。図４を参照して、本考案の高所係止用フックが使用されるとき、まず、フック本体１の係合穴６に、連結金具２４を介して親ロープ１９が連結される。また、親ロープ１９の一端には、命綱巻取リール１８が連結され、命綱巻取リール１８から繰り出される命綱２５の先端が作業者２０の胴ベルト２１に連結される。
【００１７】
そして、連結部材３が手動で操作されて閉鎖部材２が開位置に保持され、フック本体１の係合空間７が開放されるとともに、フックは、吊環１６において、フック持ち上げ用の竿の先端に吊り下げられる。そして、この竿によって、フック本体１の湾曲部分５が、係止用構造物、例えば、電線２２に引っ掛けられ、その後、竿によって連結部材３が操作され、連結部材３および閉鎖部材２がバネ９、１５の付勢力によって運動し、閉鎖部材２は開位置から閉位置まで回動し、閉位置にロックされ、フック本体１の係合空間７が閉鎖され、同時に竿が吊環１６から外される。
【００１８】
こうして、フックは電線２２に確実に係止される。この状態で、作業者２０は、梯子２３を上りながら高所での作業を安全に行うことができる。
作業が終了した時点で、再び竿が使用され、連結部材３が操作されて閉鎖部材２が開位置に保持され、係合空間７が開放され、フックが電線２２から外され、回収される。
【００１９】
図５は、本考案の別の実施例による高所係止用フックの平面図である。図５の実施例は、図１の実施例と、閉鎖部材と連結部材との連結部の構成が相違しているだけである。従って、図５中、図１に示したものと同じ構成要素には同一番号を付し、詳細な説明を省略する。図５に示すように、この実施例では、連結部材３の一端が、第２連結ピン１３によって閉鎖部材２に回動可能に連結される。そして、連結部材３が、第１ガイドスロット１０の一端縁において第３連結ピン１１に当接する第１の位置（図５Ａ参照）から、第１ガイドスロット１０の他端縁において第３連結ピン１１に当接する第２の位置（図５Ｂ参照）まで移動するとき、閉鎖部材２はバネ９の付勢力に抗して閉位置から開位置まで回動する。この実施例の場合にも、閉鎖部材２が閉位置にあるとき、第３連結ピン１１が第１ガイドスロット１０の段差１０ａに係止され、閉鎖部材２は閉位置にロックされる。
【図面の簡単な説明】
【００２０】
【図１】本考案の１実施例による高所係止用フックの分解斜視図である。
【図２】図１の高所係止用フックの動作を説明する図である。
【図３】図１の高所係止用フックの動作を説明する図である。
【図４】図１の高所係止用フックの使用状態を説明する図である。
【図５】本考案の別の実施例による高所係止用フックの平面図である。
【符号の説明】
【００２１】
１  フック本体
２  閉鎖部材
２ａ、２ｂ  金属板
３  連結部材
３ａ  金属板
４  基部
５  湾曲部分
５ａ  基部側
５ｂ  先端
６  連結穴
７  係合空間
８  第１連結ピン
９  バネ
９ａ  ループ部分
９ｂ  第１部分
９ｃ  第２部分
１０  第１ガイドスロット
１０ａ  段差
１１  第３連結ピン
１２  第２ガイドスロット
１２ａ  段差
１３  第２連結ピン
１５  第２のバネ
１６  吊環
１７  ピン
【図１】
0003137051.tif 000003
【図２】
0003137051.tif 000004
【図３】
0003137051.tif 000005
【図４】
0003137051.tif 000006
【図５】
0003137051.tif 000007